(57)【要約】【課題】  機種交換時の作業性を向上する。【解決手段】  本体枠３の保持枠固定部３ａの上側端部に、軸受２０を設ける。遊技盤ユニット１６は、遊技盤４、支持体２１及びガイドレール枠２２を備える。支持体２１とガイドレール枠２２とは、遊技盤４を挟持した状態で係止されている。保持枠１７の後面側の上側端部に、支軸部３１を設ける。支軸部３１は、シャフト部３１ａと、支持脚部３１ｂとを備える。遊技盤４を備えた遊技盤ユニット１６及び前面扉５が組み付けられた保持枠１７を本体枠３に取り付けるときには、保持枠１７を、本体枠３の前方の斜め上方から取り付ける。保持枠１７の支持シャフト部３１ａを、本体枠３の軸受２０の上に載せて、支持シャフト部３１ａを中心に保持枠１７を回動する。【選択図】        図５
2006061337.tif 000002
【特許請求の範囲】
【請求項１】
遊技盤が組み込まれ、前記遊技盤の前面を覆う前面扉が開閉自在に軸着された保持枠と、前記保持枠が固定される本体枠とを備え、前記保持枠が前記本体枠の前面側から当該本体枠に組み込まれて固定される遊技機において、
前記保持枠の上部には第１支持部が、前記本体枠の上部には前記第１支持部を支持して前記保持枠を前記本体枠に対して回動自在に支持する第２支持部がそれぞれ設けられ、
前記第１支持部が前記第２支持部に支持された前記保持枠を組み込み位置に回動させた後に、前記保持枠を前記本体枠に固定する固定部とを備えたことを特徴とする遊技機。
【請求項２】
前記保持枠を前記本体枠に組み込むときに、前記保持枠の幅方向の位置決めを行う位置決め部を備えたことを特徴とする請求項１記載の遊技機。
【請求項３】
遊技盤と、前記遊技盤が固定される本体枠とを備え、前記遊技盤が前記本体枠の前面側から当該本体枠に組み込まれて固定される遊技機において、
前記遊技盤の上部には第１支持部が、前記本体枠の上部には前記第１支持部を支持して前記遊技盤を前記本体枠に対して回動自在に支持する第２支持部がそれぞれ設けられ、
前記第１支持部が前記第２支持部に支持された前記遊技盤を組み込み位置に回動させた後に、前記遊技盤を前記本体枠に固定する固定部とを備えたことを特徴とする遊技機。
【請求項４】
前記遊技盤を前記本体枠に組み込むときに、前記遊技盤の幅方向の位置決めを行う位置決め部を備えたことを特徴とする請求項３記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、図柄可変表示装置や制御回路基板が組み付けられた支持体、遊技盤、ガイドレール枠を備えた遊技盤ユニットと、遊技盤の前面を覆うとともに遊技盤の遊技領域を前面側から視認可能にする開口が形成されたガラス扉とを本体枠に取り付けた構成となっている。本体枠への遊技盤ユニット及びガラス扉の取り付け方法としては、遊技盤ユニット及びガラス扉を本体枠の前面側から直線的に装着し、取付部材により取り付けている。近年では、遊技場でパチンコ機の機種変更を行うことがあり、この場合には、本体枠を複数の機種で共通部品として使用し、遊技盤ユニットとガラス扉とを新たなものに交換することでパチンコ機の機種交換を行う。機種交換の作業工程としては、本体枠から遊技盤ユニットとガラス扉とを取り外し、新たな遊技盤ユニットとガラス扉とを本体枠に取り付ける。
【０００３】
しかしながら、遊技場に設置されるパチンコ機の数量は多く、パチンコ機の機種交換を行うために、パチンコ機１台毎に、本体枠から遊技盤ユニットとガラス扉とを取り外すのは、手間がかかり作業性が悪かった。そのため、近年では、遊技盤ユニットとガラス扉とを保持枠で保持し、この保持枠を本体枠に取り付けている。
【発明の開示】
【発明が解決しようとする課題】
【０００４】
しかしながら、遊技盤ユニットとガラス扉とを保持した状態の保持枠は、その重量が重くなるため、機種交換時などに保持枠を本体枠に取り付けるときの保持枠を持ち上げている作業工程が作業者にとって負担となり、作業性が悪いという問題があった。
【０００５】
本発明は、上記課題を解決するためになされたものであり、機種交換時の作業性を向上することができる遊技機を提供することを目的とする。
【課題を解決するための手段】
【０００６】
上記目的を達成するために、本発明の遊技機は、遊技盤が組み込まれ、前記遊技盤の前面を覆う前面扉が開閉自在に軸着された保持枠と、前記保持枠が固定される本体枠とを備え、前記保持枠が前記本体枠の前面側から当該本体枠に組み込まれて固定される遊技機において、前記保持枠の上部には第１支持部が、前記本体枠の上部には前記第１支持部を支持して前記保持枠を前記本体枠に対して回動自在に支持する第２支持部がそれぞれ設けられ、前記第１支持部が前記第２支持部に支持された前記保持枠を組み込み位置に回動させた後に、前記保持枠を前記本体枠に固定する固定部とを備えたことを特徴とする。
【０００７】
なお、前記保持枠を前記本体枠に組み込むときに、前記保持枠の幅方向の位置決めを行う位置決め部を備えることが好ましい。
【０００８】
また、本発明の遊技機は、遊技盤と、前記遊技盤が固定される本体枠とを備え、前記遊技盤が前記本体枠の前面側から当該本体枠に組み込まれて固定される遊技機において、前記遊技盤の上部には第１支持部が、前記本体枠の上部には前記第１支持部を支持して前記遊技盤を前記本体枠に対して回動自在に支持する第２支持部がそれぞれ設けられ、前記第１支持部が前記第２支持部に支持された前記遊技盤を組み込み位置に回動させた後に、前記遊技盤を前記本体枠に固定する固定部とを備えたことを特徴とする。
【０００９】
さらに、前記遊技盤を前記本体枠に組み込むときに、前記遊技盤の幅方向の位置決めを行う位置決め部を備えることが好ましい。
【発明の効果】
【００１０】
本発明の遊技機によれば、遊技盤が組み込まれ、遊技盤の前面を覆う前面扉が開閉自在に軸着された保持枠と、保持枠が固定される本体枠とを備え、保持枠の上部には第１支持部が、本体枠の上部には第１支持部を支持して保持枠を本体枠に対して回動自在に支持する第２支持部がそれぞれ設けられ、第１支持部が第２支持部に支持された保持枠を組み込み位置に回動させた後に、保持枠を本体枠に固定する固定部とを備えたから、遊技盤が組み込まれ、遊技盤の前面を覆う前面扉が開閉自在に軸着された保持枠の第１支持部を、本体枠に設けられた第２支持部で支持して保持枠を本体枠に対して回動自在に支持し、保持枠を本体枠の組み込み位置に回動させた後に、固定部で保持枠を本体枠に固定することができるため、保持枠を本体枠の前方から直線的に本体枠に取り付けるものに比べて、作業者が保持枠を持ち上げている時間を少なくすることができるため、作業者の負担を軽減することができるとともに、作業性を向上することができる。
【００１１】
また、保持枠を本体枠に組み込むときに、保持枠の幅方向の位置決めを行う位置決め部を備えたから、保持枠を本体枠に組み込むときの保持枠の幅方向のガタつきを防止することができ、より一層作業性を向上することができる。
【００１２】
さらに、本発明の遊技機によれば、遊技盤と、遊技盤が固定される本体枠とを備え、遊技盤の上部には第１支持部が、本体枠の上部には第１支持部を支持して遊技盤を本体枠に対して回動自在に支持する第２支持部がそれぞれ設けられ、第１支持部が第２支持部に支持された遊技盤を組み込み位置に回動させた後に、遊技盤を本体枠に固定する固定部とを備えたから、遊技盤の第１支持部を、本体枠に設けられた第２支持部で支持して遊技盤を本体枠に対して回動自在に支持し、遊技盤を本体枠の組み込み位置に回動させた後に、固定部で遊技盤を本体枠に固定することができるため、遊技盤を本体枠の前方から直線的に本体枠に取り付けるものに比べて、作業者が遊技盤を持ち上げている時間を少なくすることができるため、作業者の負担を軽減することができるとともに、作業性を向上することができる。
【００１３】
また、遊技盤を本体枠に組み込むときに、前記遊技盤の幅方向の位置決めを行う位置決め部を備えたから、遊技盤を本体枠に組み込むときの遊技盤の幅方向のガタつきを防止することができ、より一層作業性を向上することができる。
【発明を実施するための最良の形態】
【００１４】
図１に示すように、遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の下方には、始動入賞口１０、通常入賞口１１、アタッカ１２、アウト口１３等が設けられている。遊技盤４の略中央には、図柄可変表示装置９を取り囲むようにセンター役物１４が設けられており、センター役物１４に形成された開口を介して、図柄可変表示装置９を視認することができる。
【００１５】
遊技者は供給皿６にパチンコ球７を投入して遊技を開始する。投入されたパチンコ球７は供給皿６内に設けられた誘導路を経て球発射装置に導かれる。遊技者は、回動式の操作ハンドル８を所定量回動して球発射装置の駆動を制御することで、パチンコ球７を１個ずつ遊技盤４の遊技領域４ａの上方に向けて打ち出すことができる。打ち出されたパチンコ球７は遊技領域４ａの上方から流下する途中で各入賞口１０, １１及びアタッカ１２のいずれかに入るか、あるいはアウト口１３から回収される。なお、パチンコ機２の遊技領域４ａに設けられている複数の釘、風車などの構造物は公知であるので説明は省略する。
【００１６】
図２に示すように、前面扉５は、本体枠３の前面であって後述する保持枠１７に開閉自在に取り付けられている。前面扉５の内側には、可視可能なガラス１５が取り付けられている。なお、前面扉５が閉じているロック状態であるときには、遊技者や遊技場の作業者は、ガラス１５を通して遊技盤４の遊技領域４ａを流下していくパチンコ球７を見ることはできるが、遊技盤４にはもちろんのこと本体枠３の内部にも触れることができないようになっている。
【００１７】
図３に示すように、前面扉５は、遊技盤４を備えた遊技盤ユニット１６を保持する保持枠１７に開閉自在に取り付けられている。遊技盤ユニット１６は、保持枠１７の遊技盤ユニット固定部１７ａに交換可能で且つ一体的に組み付けられており、保持枠１７は本体枠３の保持枠固定部３ａに交換可能に固定されている。保持枠固定部３ａの下側端部の左側端部及び右側端部には、保持枠１７を固定するための保持枠固定部材（固定部）１８が設けられている。保持枠１７の遊技盤ユニット固定部１７ａの右側端部の上側端部及び下側端部には、遊技盤ユニット１６を固定するための遊技盤ユニット固定部材１９が設けられている。保持枠１７の前面の右側端部の下側端部と、遊技盤ユニット固定部１７ａの左側端部の下側端部とには、それぞれ固定部材取付孔１７ｂが形成されている。なお、保持枠固定部材１８と遊技盤ユニット固定部材１９とには、それぞれ回動可能な回動部１８ａ，１９ａが軸支されている。本体枠３の保持枠固定部３ａの上側端部には、後述する支軸部３１の支持シャフト部３１ａを回動自在に支持するための略フック形状の軸受（第２支持部）２０が設けられている。軸受２０は、左右に２個設けられている。
【００１８】
図４に示すように、遊技盤ユニット１６は、遊技盤４、支持体２１及びガイドレール枠２２を備え、支持体２１とガイドレール枠２２とは、詳しくは後述するように、遊技盤４を挟持した状態で係止されている。遊技盤４の右側端部の上側端部及び下側端部には、遊技盤ユニット固定部材１９（図３参照）を挿通するための固定部材挿通孔４ｂが形成されている。遊技盤４の四隅には、後述するボス２３を挿通するための位置決め開口４ｃが形成されている。遊技盤４の左側端部の下側端部には、固定部材操作孔４ｄが形成されている。固定部材操作孔４ｄは、保持枠固定部材１８を露呈し、回動部１８ａを操作することのできる位置に形成されている。
【００１９】
支持体２１は略板状に形成されており、支持体２１の前面には複数のリブ２１ａが設けられ、これらリブ２１ａにより球通路２１ｂが形成される。遊技を行った際に各入賞口１０, １１、アタッカ１２及びアウト口１３に入ったパチンコ球７は、リブ２１ａにより形成された球通路２１ｂを通過して所定の受け部に誘導される。支持体２１の上下４箇所にはボス２３が形成されており、このボス２３には後述するガイドレール枠２２に設けられた係止つまみ３０を挿通させるための開口２４が形成されている。このボス２３を、遊技盤４に形成された位置決め開口４ｃに後面側から挿通させることで、遊技盤４と支持体２１との位置決めが行われる。支持体２１の後面側には、図柄可変表示装置９、主制御回路装置及び副制御回路装置などが組み付けられている。主制御回路装置及び副制御回路装置は、球発射装置、賞球払い出し装置、電源回路、ランプ、スピーカー、図柄可変表示装置９等の各種装置の駆動を制御する。
【００２０】
ガイドレール枠２２は、板状に形成され前面の外周にリブが形成された枠本体２５に、外レール２６、第１内レール２７、第２内レール２８が取り付けられた構成となっている。枠本体２５、外レール２６、第１内レール２７及び第２内レール２８は例えばポリアセタール等の摺動性、耐摩耗性に優れた樹脂材から形成されている。なお、外レール２６と第１内レール２７との間は、打ち出されたパチンコ球７を遊技領域４ａに向けて誘導するためのガイド部２５ａとなる。また、枠本体２５の中央には、枠本体２５を遊技盤４に組み付けたときに遊技領域４ａを規制するための開口２５ｂが形成され、その下方に各入賞口１０, １１及びアタッカ１２のいずれにも入賞しなかったパチンコ球７を所定の受け部に導くためのアウト口２９の前面装飾２９ａが形成されている。なお、外レール２６、第１内レール２７及び第２内レール２８は、それぞれ図示しないビス等により枠本体２５に固定される。
【００２１】
枠本体２５の後面の上側端部及び下側端部のそれぞれ２箇所計４箇所にはボス（図示せず）が形成され、このボスにロック機構である回動自在な係止つまみ３０が取り付けられる。このボスを遊技盤４に形成された位置決め開口４ｃに挿通させることで、枠本体２５と遊技盤４との位置決めが行われる。また、係止つまみ３０は支持体２１に形成されたボス２３の開口２４に挿通された後に、開口２４に対して水平位置から垂直位置へと回動させることで、遊技盤４を挟持した状態でガイドレール枠２２と支持体２１との係合を行うことが可能となる。なお、ロック機構の構造及び個数は遊技盤ユニット１６の構成等を考慮して、適宜設定することが可能である。枠本体２５の右側端部の上側端部及び下側端部には、固定部材取付孔２５ｃが形成されている。固定部材取付孔２５ｃは遊技盤ユニット固定部材１９の回動部１９ａを挿通させることのできる位置に形成されている。枠本体２５の左側端部の下側端部には、固定部材操作孔２５ｄが形成されている。固定部材操作孔２５ｄは、保持枠固定部材１８を露呈し、回動部１８ａを操作することのできる位置に形成されている。
【００２２】
図５に示すように、保持枠１７の後面側の上側端部には、保持枠１７を本体枠３に取り付けるときに、本体枠３の保持枠固定部３ａに設けられた軸受（第２支持部）２０に回動自在に支持される略コ字状の支軸部（第１支持部）３１が設けられている。支軸部３１は、円柱状の支持シャフト部３１ａと、支持シャフト部３１ａの図５中Ａ方向それぞれの端部に一体的に形成された２個の支持脚部３１ｂとを備える。支軸部３１は、左右に２個設けられている。
【００２３】
軸受２０は、その図５中Ａ方向（幅方向）の長さが、一対の支持脚部３１ｂの間に挿入可能で、且つ一対の支持脚部３１ｂの図５中Ａ方向（幅方向）における間の長さと略同一になるように形成されており、支持シャフト部３１ａを、本体枠３の軸受２０の上に載せることにより、保持枠１７は図５中Ａ方向（幅方向）において位置決めされる。これにより、本実施形態では、軸受２０は、保持枠１７の図５中Ａ方向（幅方向）の位置決めを行う位置決め部としても機能する。
【００２４】
保持枠固定部材１８及び遊技盤ユニット固定部材１９は同じ構造の部材により構成されているため、本体枠３に保持枠１７を固定するための保持枠固定部材１８のみを例に説明し、遊技盤ユニット固定部材１９の説明は簡略化する。図６に示すように、保持枠１７の固定部材取付孔１７ｂは、本体枠３に設けられた保持枠固定部材１８が挿通可能な大きさで、保持枠固定部材１８の回動部１８ａと係止可能となるように形成されている。回動部１８ａは、保持枠固定部材１８に回転自在に軸支されており、保持枠１７が取り付けられていない状態では、回動部１８ａは長手方向が垂直に向けられた固定解除位置にセットされている。保持枠１７の支持シャフト部３１ａが本体枠３の軸受２０の上に載せられ、支持シャフト部３１ａを中心に保持枠１７が本体枠３の保持枠固定部３ａに組み込まれた状態となる組み込み位置（図２参照）まで回動されると、保持枠固定部材１８が固定部材取付孔１７ｂに挿通され、回動部１８ａが回動自在となるように固定部材取付孔１７ｂから突出する。
【００２５】
図７に示すように、回動部１８ａが固定部材取付孔１７ｂから突出した状態でその長手方向が水平となるように９０度回転されると、保持枠固定部材１８は固定位置にセットされる。固定位置への回動によって、回動部１８ａが固定部材取付孔１７ｂから挿脱不能となり、保持枠１７を固定する。これにより、保持枠１７が本体枠３に固定される。
【００２６】
上記のように構成されたパチンコ機２の作用について説明する。図８に示すように、作業者が、遊技盤４を備えた遊技盤ユニット１６及び前面扉５が組み付けられた保持枠１７を本体枠３に取り付けるときには、保持枠１７を、本体枠３の前方の斜め上方から取り付ける。先ず、保持枠１７の支持シャフト部３１ａを、本体枠３の軸受２０の上に載せて、支持シャフト部３１ａを中心に保持枠１７を図８中Ｂ方向に組み込み位置まで回動する。支持シャフト部３１ａを本体枠３の軸受２０の上に載せて、支持シャフト部３１ａを中心に保持枠１７を図８中Ｂ方向に組み込み位置まで回動すると、本体枠３の保持枠固定部材１８が保持枠１７の固定部材取付孔１７ｂに挿通され、回動部１８ａが回転自在となるように固定部材取付孔１７ｂから突出する。そして、回動部１８ａを、固定部材取付孔１７ｂから突出した状態でその長手方向が水平となるように９０度回転すると、保持枠固定部材１８は固定位置にセットされ、回動部１８ａが固定部材取付孔１７ｂから挿脱不能となり、保持枠１７が本体枠３に固定される。なお、本体枠３の保持枠固定部３ａの図３における左側端部に設けられた保持枠固定部材１８の回動部１８ａは、遊技盤４の固定部材操作孔４ｄと枠本体２５の固定部材操作孔２５ｄとを介して露呈されており、回転（操作）することができる。
【００２７】
このように、保持枠１７の支持シャフト部３１ａを、本体枠３の前方の斜め上方から本体枠３の軸受２０の上に載せて、支持シャフト部３１ａを中心に保持枠１７を図８中Ｂ方向に回動することにより、遊技盤４を備えた遊技盤ユニット１６及び前面扉５が組み付けられた保持枠１７を本体枠３に取り付けることができるから、支持シャフト部３１ａを、本体枠３の軸受２０の上に載せた後には、保持枠１７を図８中Ｂ方向に回動するだけで、本体枠３に取り付けることができ、保持枠１７を本体枠３の前方から直線的に本体枠３に取り付けるものに比べて、作業者が保持枠１７を持ち上げている時間を少なくすることができるため、作業者の負担を軽減することができるとともに、作業性を向上することができる。また、軸受２０を、その図５中Ａ方向（幅方向）の長さが、一対の支持脚部３１ｂの間に挿入可能で、且つ一対の支持脚部３１ｂの図５中Ａ方向（幅方向）における間の長さと略同一になるように形成したから、支持シャフト部３１ａを、本体枠３の軸受２０の上に載せることにより、保持枠１７を図５中Ａ方向（幅方向）において位置決めすることができ、より一層作業性を向上することができる。
【００２８】
なお、上記実施形態では、本体枠３の保持枠固定部３ａの上側端部に、略フック形状の軸受（第２支持部）２０を設け、保持枠１７の後面側の上側端部に、略コ字状の支軸部（第１支持部）３１を設けたが、これに限定されることなく、保持枠１７を本体枠３に取り付けるときに、保持枠１７を回動自在に保持することができればよく、例えば、保持枠固定部３ａの上側端部に、略コ字状の支軸部３１を設け、保持枠１７の後面側の上側端部に、略フック形状の軸受２０を設けてもよい。また、軸受２０及び支軸部３１の個数は、２個に限定されることなく、適宜変更されるものである。
【００２９】
また、上記実施形態では、支持体２１の後面側に図柄可変表示装置９、主制御回路装置及び副制御回路装置などを組付け、この支持体２１、遊技盤４及びガイドレール枠２２を備えた遊技盤ユニット１６を保持枠１７に取り付けたが、これに限定されることなく、図柄可変表示装置９、主制御回路装置及び副制御回路装置などを本体枠３に組み付けてもよく、適宜変更されるものである。
【００３０】
図９に、遊技盤４を備えた遊技盤ユニット１６を本体枠３に取り付ける実施形態を示す。上記実施形態のものと同様の構成部材には同一の符号を付し、その詳細な説明を簡略化する。この実施形態では、前面扉５と遊技盤ユニット１６とは、別々に本体枠３に取り付けられる。本体枠３の遊技盤ユニット固定部３ｂの上側端部には、後述する支軸部４１の支持シャフト部４１ａを回動自在に支持するための略フック形状の軸受（第２支持部）４０が設けられている。軸受４０は、左右に２個設けられている。遊技盤４の上面の後側端部には、遊技盤ユニット１６を本体枠３に取り付けるときに、本体枠３の遊技盤ユニット固定部３ｂに設けられた軸受４０に回動自在に支持される略コ字状の支軸部（第１支持部）４１が設けられている。支軸部４１は、円柱状の支持シャフト部４１ａと、支持シャフト部４１ａの左右それぞれの端部に一体的に形成された２個の支持脚部４１ｂとを備える。支軸部４１は、左右に２個設けられている。
【００３１】
遊技盤ユニット固定部３ｂの下側端部の左側端部及び右側端部には、遊技盤ユニット１６を固定するための遊技盤ユニット固定部材（固定部）４２が設けられている。なお、遊技盤ユニット固定部材４２には、回動可能な回動部４２ａが軸支されている。枠本体２５の下側端部の左側端部及び右側端部には、固定部材取付孔２５ｃが形成されている。固定部材取付孔２５ｃは遊技盤ユニット固定部材４２の回動部４２ａを挿通させることのできる位置に形成されている。
【００３２】
軸受４０は、その図９中Ａ方向（幅方向）の長さが、一対の支持脚部４１ｂの間に挿入可能で、且つ一対の支持脚部４１ｂの図９中Ａ方向（幅方向）における間の長さと略同一になるように形成されており、支持シャフト部４１ａを、本体枠３の軸受２０の上に載せることにより、遊技盤４は図９中Ａ方向（幅方向）において位置決めされる。これにより、本実施形態では、軸受４０は、遊技盤４の図９中Ａ方向（幅方向）の位置決めを行う位置決め部としても機能する。
【００３３】
作業者が、遊技盤４を備えた遊技盤ユニット１６を本体枠３に取り付けるときには、遊技盤ユニット１６を、本体枠３の前方の斜め上方から取り付ける。先ず、遊技盤ユニット１６の支持シャフト部４１ａを、本体枠３の軸受４０の上に載せて、支持シャフト部４１ａを中心に遊技盤ユニット１６を図９中Ｂ方向に回動する。支持シャフト部４１ａを本体枠３の軸受４０の上に載せて、支持シャフト部４１ａを中心に遊技盤ユニット１６を図９中Ｂ方向に本体枠３の遊技盤ユニット固定部３ｂに組み込まれた状態となる組み込み位置まで回動すると、本体枠３の遊技盤ユニット固定部材４２が枠本体２５の固定部材取付孔２５ｃに挿通され、回動部４２ａが回転自在となるように固定部材取付孔２５ｃから突出する。そして、回動部４２ａを、固定部材取付孔２５ｃから突出した状態でその長手方向が水平となるように９０度回転すると、遊技盤ユニット固定部材４２は固定位置にセットされ、回動部４２ａが固定部材取付孔２５ｃから挿脱不能となり、遊技盤ユニット１６が本体枠３に固定される。
【００３４】
このように、遊技盤４の支持シャフト部４１ａを、本体枠３の前方の斜め上方から本体枠３の軸受４０の上に載せて、支持シャフト部４１ａを中心に遊技盤４を図９中Ｂ方向に回動することにより、遊技盤４を備えた遊技盤ユニット１６を本体枠３に取り付けることができるから、支持シャフト部４１ａを、本体枠３の軸受４０の上に載せた後には、遊技盤４を図９中Ｂ方向に回動するだけで、本体枠３に取り付けることができ、遊技盤ユニット１６を本体枠３の前方から直線的に本体枠３に取り付けるものに比べて、作業者が遊技盤ユニット１６を持ち上げている時間を少なくすることができるため、作業者の負担を軽減することができるとともに、作業性を向上することができる。また、軸受４０を、その図９中Ａ方向（幅方向）の長さが、一対の支持脚部４１ｂの間に挿入可能で、且つ一対の支持脚部４１ｂの図９中Ａ方向（幅方向）における間の長さと略同一になるように形成したから、支持シャフト部４１ａを、本体枠３の軸受４０の上に載せることにより、遊技盤４を図９中Ａ方向（幅方向）において位置決めすることができ、より一層作業性を向上することができる。
【００３５】
なお、上記実施形態では、本体枠３の遊技盤ユニット固定部３ｂの上側端部に、略フック形状の軸受（第２支持部）４０を設け、遊技盤４の上面の後側端部に、略コ字状の支軸部（第１支持部）４１を設けたが、これに限定されることなく、遊技盤４を本体枠３に取り付けるときに、遊技盤４を回動自在に保持することができればよく、例えば、遊技盤ユニット固定部３ｂの上側端部に、略コ字状の支軸部４１を設け、遊技盤４の上面の後側端部に、略フック形状の軸受４０を設けてもよい。また、軸受４０及び支軸部４１の個数は、２個に限定されることなく、適宜変更されるものである。
【図面の簡単な説明】
【００３６】
【図１】本発明を実施したパチンコ機の外観を示す斜視図である。
【図２】前面扉を開けた状態のパチンコ機を示す斜視図である。
【図３】本体枠と遊技盤ユニットと保持枠とを示す分解斜視図である。
【図４】遊技盤と支持体とガイドレール枠とを示す分解斜視図である。
【図５】本体枠と保持枠と支軸部とを示す分解斜視図である。
【図６】遊技盤ユニット固定部材が固定解除位置にセットされた状態を示す正面図である。
【図７】遊技盤ユニット固定部材が固定位置にセットされた状態を示す正面図である。
【図８】保持枠を本体枠に取り付けるときの状態を示す側面図である。
【図９】遊技盤ユニットを本体枠に取り付ける実施形態の本体枠と遊技盤ユニットとを示す分解斜視図である。
【符号の説明】
【００３７】
２  パチンコ機（遊技機）
３  本体枠
４  遊技盤
４ａ  遊技領域
５  前面扉
７  パチンコ球
９  図柄可変表示装置
１６  遊技盤ユニット
１７  保持枠
１７ａ  遊技盤ユニット固定部
１７ｂ  固定部材取付孔
１８  保持枠固定部材（固定部）
１８ａ  回動部
２０, ４０  軸受（第２支持部）
２１  支持体
２２  ガイドレール枠
２５  枠本体
３１, ４１  支軸部（第１支持部）
３１ａ, ４１ａ  支持シャフト部
３１ｂ, ４１ｂ  支持脚部
４２  遊技盤ユニット固定部材（固定部）
４２ａ  回動部
【図１】
2006061337.tif 000003
【図２】
2006061337.tif 000004
【図３】
2006061337.tif 000005
【図４】
2006061337.tif 000006
【図５】
2006061337.tif 000007
【図６】
2006061337.tif 000008
【図７】
2006061337.tif 000009
【図８】
2006061337.tif 000010
【図９】
2006061337.tif 000011